(57)【要約】【課題】モバイル機器の充電を安全に行うためのテーブルタップに関するものであり、特に、留守中、就寝中の充電に対して、より高い安全性と安心を提供することを目的とする。【解決手段】モバイル機器の充電器部で発生する熱をコネクタ端子に直づけされ、電線の役目も兼ねた熱良導体の薄い銅板または黄銅板に密着して取り付けた温度センサで検出し、モバイル機器本体で発生する熱は、テーブル平面部に貼り付けられた複数の熱良導体の薄い銅板または黄銅板の裏側に密着して取り付けられた温度センサで検出する。それぞれの温度センサは並列に接続されており、何れかの温度センサが異常温度を検出した時点で電源を遮断する。電源遮断により、モバイル機器の温度が低下しても遮断状態は継続し、再通電するには、本安全テーブルタップの電源プラグを抜き、再度挿入することにより復帰する。特に、本器自身安全性については十分留意し２重に保護する安全装置で不測の事態に対応し、安全装置の動作表示灯も備えた。【選択図】図３
2018010846.tif 000002
【特許請求の範囲】
【請求項１】
モバイル機器の充電時の安全を確保する目的で使用する機器であって、モバイル機器の充電器部およびモバイル機器本体の温度を監視し、異常温度上昇を検出したとき、充電器への電源供給を遮断するモバイル機器充電用安全テーブルタップ。
【請求項２】
モバイル機器の充電器部の温度を充電器部のＡＣプラグから本器のコンセントを経由して検出する手段として、コンセントの接地ライン、非接地ラインの端子に、電気と熱の良導体である銅、黄銅などの短冊状の薄板２枚を直付けし、２枚の薄板の表面に密着させて、温度センサを取り付けて、温度を検出する方法を用いたモバイル機器充電用安全テーブルタップ。
【請求項３】
充電されるモバイル機器本体の温度をテーブルタップ平面上に配置した複数の熱伝導の良い銅、黄銅製の薄板の裏面に密着させて、取り付けた温度センサを利用して、温度を検出する方法を用いたモバイル機器充電用安全テーブルタップ。
【請求項４】
モバイル機器への電源供給の遮断状態を電源供給停止したことにより、モバイル機器の温度が低下しても、遮断状態を持続させるための記憶機能を有するモバイル機器充電用安全テーブルタップ。
【請求項５】
電源を遮断するためのスイッチ部および記憶部に機械式リレーまたはソリッドステートリレーなどスイッチ機能を有する半導体素子を使ったモバイル機器充電用安全テーブルタップ。
【請求項６】
モバイル機器本体を載せるテーブルの周囲には、小型モバイル機器の落下を防止するための、上下移動が可能な枠を設け、枠内に収まらない少し大きな機器にも対応できるようにしたモバイル機器充電用安全テーブルタップ。
【発明の詳細な説明】
【技術の分野】
【０００１】  テ−ブルタップに関するものである。
【背景技術】
【０００２】  モバイル機器の充電時に充電器部またはモバイル機器本体の不具合による異常温度上昇による火災発生を防止、より安全、安心、快適な日常生活が出来るようにすることを目的とする。
【先行技術文献】
【０００３】
【特許文献】
【特許文献】  特開２０１１−８７４０３  この文献は非接触式の端末を充電器にセットする場合、位置確認が容易で、安価な携帯用端末機器の非接触充電装置に関するものである。【０００４】
【特許文献】  特開２００１−２９４１８４  この文献は二次電池の寿命や安全性を配慮しながら、充電時間を短縮化することが可能な充電式電池装置であり、二次電池に焦点をあてたものである。【０００５】
【特許文献】  特開２００９−１０６１４７  この文献は二次電池、とりわけリチウム二次電池を効率良く、発熱を抑制しながら短時間で充電するとともに、電池やモバイル機器の安全性を確保するための充電制御方法と充電制御回路における二次電池の充電法に関したものである。【０００６】
【特許文献】  特開２００８−１７２８７４  この文献は非接触型の充電器の最適位置に設けた温度検出素子により載置物の異常温度上昇が検出された際に即座に充電を停止制御して安全性の向上を図る非接触式の充電器に関するものである。
【発明の概要】
【発明が解決しようとする課題】
【０００７】  モバイル機器自身に対する安全対策が施されているのは当然なことであり充電作業は場所を選ばず、留守中、就寝中に関わらず、日常茶飯事に行われている。機器の安全性については信頼しているものの一抹の不安を感じる利用者も多い。この不安を除くため、もう一段階上の安全、安心を提供することを目的とする。
【課題を解決するための手段】
【０００８】  モバイル機器の充電器部のプラグを本安全テーブルタップのコンセントに挿入し、モバイル機器本体は平面のテーブル上に置き充電作業を行う。充電器部で発生した熱はコンセント端子に組み込まれた温度センサで効果的な検知を行う。一方、モバイル機器本体で発生する熱はテーブル面に貼り付けた熱良導体の銅板、黄銅板の薄板の裏側に密着して取り付けられた温度センサで検知する。充電中に温度センサのうち一個でも異常な温度を検知すると、即座に電源を遮断して安全を確保する。この状態は電源遮断により、モバイル機器の温度が低下しても持続する。通電を再開するには、本装置の電源プラグをコンセントから抜き、再度挿入する必要がある。
【発明の効果】
【０００９】  本モバイル機器充電用安全テーブルタップを用いることにより、モバイル機器の充電作業を留守中、就寝中にかかわらず、安心且つ安全に行えるため、時間の有効活用が可能になる。
【図面の簡単な説明】
【００１０】
【図１】  コンセント直付け用温度センサ基板（プリント基板）
【図２】  モバイル機器充電用安全テーブルタップの平面図
【図３】  モバイル機器充電用安全テーブルタップの接続図
【発明を実施するための形態】
【００１１】  図１から図３を用いて、モバイル機器充電用安全テーブルタップの実施例について説明する。モバイル機器における充電器部の温度を検知するため、図１に示すようにプリント配線板を加工した基板４をコンセントの接地端子と非接地端子、直にはんだ付けすることにより、二つの端子２からの熱を効率よく温度センサ３に導く、プリント配線板４の代わりに、２枚の短冊状の熱良導体の銅板、黄銅板の薄板を用いても良い。
【００１２】  モバイル機器本体で発生する熱は図２に示すように、テーブル５の表面に貼り付けた複数枚の銅、黄銅などの熱良導体の薄板８の裏側に、それぞれ温度センサ３を密着させて取り付けて本体からの熱を検知する。
【００１３】  温度センサの接点出力信号を用い、モバイル機器への電源の供給を遮断する方法として、図３示すように機械式リレー２個用いている。機械式リレー９は電源の遮断用であり、そのブレーク接点にはサージアブソーバ１１が取り付けられている。機械式リレー１０は遮断状態を記憶させる目的で使用している。記憶機能を有することで、電源が遮断されたことにより、モバイル機器の温度が低下しても、再通電されること無く、安全が確保される。
【００１４】  電源を遮断する回路は機械式リレーに限らず、ディスクリートの半導体素子、ソリッドステートリレーなど無接点化した回路を利用しても良いのは当然である。
【００１５】  さらに、本器自身の安全性はより高くあることが必須である。図３に示すように、ヒューズとＰＴＣサーミスタから構成される安全回路１２を用いて、動作コイルに流れる電流を監視して、安全性を高めている。ＰＴＣサーミスタは繰り返し利用が可能である。万一、安全回路が動作した時には安全回路動作表示回路１３が働き、ＬＥＤ１４が点灯し本器自身の故障を知ることが出来る。
【産業上の利用可能性】
【００１６】  モバイル機器用の充電器のように、収納型電源プラグを用いた機器の温度検出する方法、また、モバイル機器本体の温度を平面上のテーブルに貼り付けた銅板、黄銅板などの熱良導体薄板の裏面に密着して取り付けた温度センサで検出する方法は他の産業でも利用が可能である。
【符号の説明】
【００１７】  １    熱、電気良導体の薄板
２    コンセント端子取り付け孔
３    温度センサ
５    モバイル機器充電用安全テーブルタップ本体
６    モバイル機器本体の落下防止枠
７    モバイル機器充電器接続用コンセント
８    モバイル機器本体で発生する熱をセンサに伝達するための熱良導体の薄板
９    電源遮断用リレー
１０    記憶用リレー
１１    サージアブソーバ
１２    安全回路
１３    安全回路動作表示回路
１４    安全回路動作表示ＬＥＤ
１５    電源コード
【図１】
2018010846.tif 000003
【図２】
2018010846.tif 000004
【図３】
2018010846.tif 000005